(57)【要約】【課題】被取付部に取り付けられて用いられる照明装置に関し、狭い場所に取り付けられ、かつ、通信設備のメンテナンスに最適な照明を行える照明装置を提供することを目的とする。【解決手段】本発明は、照明装置であって、被取付部に取付可能とされ、電池が収納される電池ボックスと、電池ボックスに接続されて、電池から電力が供給されて、発光する発光ユニットとを有し、発光ユニットは電池ボックスに突出して固定、あるいは、電池ボックスから分離可能とされていることを特徴とする。【選択図】図１
2008269974.tif 000002
【特許請求の範囲】
【請求項１】
照明装置であって、
被取付部に取付可能とされ、電池が収納される電池ボックスと、
前記電池ボックスに接続されて、電池から電力が供給されて、発光する発光ユニットとを有し、
前記発光ユニットは、前記電池ボックスに突出して固定、あるいは、前記電池ボックスから分離可能とされている照明装置。
【請求項２】
前記発光ユニットは、筐体と、
前記筐体に収納された回路基板と、
前記回路基板に搭載された発光ダイオードとから構成されている請求項１記載の照明装置。
【請求項３】
前記発光ダイオードは、前記回路基板に１つ以上配列されていることを特徴とする請求項２記載の照明装置。
【請求項４】
前記発光ユニットは、前記電池ボックスに電源コネクタを介して接続される請求項１乃至３のいずれか一項記載の照明装置。
【請求項５】
前記発光ユニットは、前記電池ボックスにケーブルを介して接続される請求項１乃至４のいずれか一項記載の照明装置。
【請求項６】
前記発光ユニットを着脱可能に保持し、被取付部に取り付けられ、前記発光ユニットを前記被取付部に取り付ける取付ベースを有する請求項５記載の照明装置。
【請求項７】
前記被取付部に取り付けられ、前記電池ボックスと接続され、前記電池ボックスの落下を防止する落下防止用クリップを有する請求項１乃至６のいずれか一項記載の照明装置。
【発明の詳細な説明】
【技術分野】
【０００１】
本発明は照明装置に係り、特に、被取付部に取り付けられて用いられる照明装置に関する。
【背景技術】
【０００２】
近年、光ファイバーケーブルを用いた通信網の発達に伴い、通信局内でのメンテナンスなどの作業が重要となっている。
【０００３】
ＦＴＭ(Fiber Termination Module)、ＩＤＭ等の光ファイバーケーブル成端装置は、
光ファイバーケーブルの配線、施工及び保守効率を考慮して棚状にされたラック構造となっている。そのため、機械室内の天井及び壁面の照明装置からの光が
ラックの外枠や棚板によって遮られ暗くなる。
【０００４】
このため、作業に支障を来たす程暗い時は、一般に市販されている照明装置をタイラップ等でラックの必要箇所に括り付ける等している。照明装置は蛍光灯から構成されており、機械室内の一般電源のＡＣ１００Ｖ電源により駆動されている。
【０００５】
しかし、市販の照明装置では上記の通信局内のラック内照明を目的としたものではないので、ラックへの取り付けは作業者がその都度状況に応じ、取り付けの工夫が必要になる。
【０００６】
また、ＡＣ１００Ｖ電源を使用しているため、新たに電源配線が必要となるので、設置するための工数、線材等の部材費の発生で負担が多い。
【０００７】
このため、通信局内でのメンテナンスなどの作業用に簡単に持ち運びができ、ラックなどに容易かつ、自在に取付できる携帯型の照明装置が望まれていた。
【０００８】
なお、携帯型照明装置としては、筐体内に電池と照明部とが一体に内蔵された、いわゆる、懐中電灯型の照明装置が一般的である（例えば、特許文献１、２参照）。
【特許文献１】特開２００７−１２４３５号公報
【特許文献２】特開２００２−１８４２０３号公報
【発明の開示】
【発明が解決しようとする課題】
【０００９】
しかし、従来の懐中電灯型の照明装置は、通常、スポット照明であり広い範囲を照明することはできない。特に、照射位置までの距離が近い場合には、非常に狭い範囲しか照射できない。一方、通信局内のラックは、比較的狭い場所での作業であり、照明装置の設置位置と照射位置までの距離が大きくとれないことが多い。このため、従来の懐中電灯型の照明装置を通信局内のラックで使用すると、局所の照明しか行えず、作業性が悪く、よって、通信局内での作業には不向きであった。
【００１０】
本発明は上記の点に鑑みてなされたもので、狭い場所に取り付けられ、かつ、通信設備のメンテナンスに最適な照明を行える照明装置を提供することを目的とする。
【課題を解決するための手段】
【００１１】
本発明は、照明装置であって、被取付部に取付可能とされ、電池が収納される電池ボックスと、電池ボックスに接続されて、電池から電力が供給されて、発光する発光ユニットとを有し、発光ユニットは電池ボックスに突出して固定、あるいは、電池ボックスから分離可能とされていることを特徴とする。
【００１２】
発光ユニットは、筐体と、筐体に収納された回路基板と、回路基板に搭載された発光ダイオードと、筐体に設けられ、回路基板に接続された電源コネクタとから構成されていることを特徴とする。また、発光ダイオードは、回路基板に１つ以上配列されていることを特徴とする。
【００１３】
また、発光ユニットは、電池ボックスに電源コネクタを介して接続されることを特徴とする。
【００１４】
発光ユニットは、電池ボックスにケーブルを介して接続されることを特徴とする。
【００１５】
発光ユニットを着脱可能に保持し、被取付部に取り付けられ、発光ユニットを被取付部に取り付ける取付ベースを有することを特徴とする。
【００１６】
被取付部に取り付けられ、電池ボックスと接続され、電池ボックスの落下を防止する落下防止用クリップを有することを特徴とする。
【発明の効果】
【００１７】
本発明によれば、発光ユニットを電池ボックスから突出して固定、あるいは、分離可能な構造とすることにより、広範囲を照明することが可能となる。
【発明を実施するための最良の形態】
【００１８】
図１は本発明の第１実施例の斜視図、図２は本発明の第１実施例のブロック構成図を示す。
【００１９】
本実施例の照明装置１００は、被取付部に取付可能とされ、電池１０１が収納される電池ボックス１１１と、電池ボックス１１１に接続されて、電池１０１から電力が供給されて、発光する発光ユニット１１２とを有し、電池ボックス１１１と発光ユニット１１２とは分離可能とされている。
【００２０】
電池ボックス１１１は、電池収容部１２１を有する筐体１２２にスイッチ１２３を内蔵した構成とされており、外側面には電池ボックス１１１を固定するための永久磁石１２５が固定されている。
【００２１】
電池収容部１２１には、複数本の電池１０１が収納される。電池収納部１２１に収納される複数本の電池１０１は、直列接続され、発光ユニット１１２を発光させるために必要な電流を供給する。電池１０１から供給された電流は、スイッチ１２３を介してケーブル１２６に供給される。なお、電池収容部１２１の開口面は、カバー１２８により閉蓋される。
【００２２】
ケーブル１２６は、先端に発光ユニット１１２を接続するためのプラグコネクタ１２７が接続されており、電池１０１から電力を発光ユニット１１２に供給する。なお、本実施例では、ケーブル１２６はプラグコネクタ１２７を介して電池ボックス１１１に着脱可能に接続さているが、電池ボックス１１１と発光ユニット１１２とをケーブル１２６で、着脱できないように、直接接続するようにしてもよい。
【００２３】
また、筐体１２２には、落下防止用クリップ１２９がケーブル１３０を介して固定されている。落下防止用クリップ１２９は、例えば、鰐口クリップから構成されており、ラックを挟み込んで固定される。落下防止用クリップ１２９をラックにクリップさせておくことにより、永久磁石１２５によるラックとの結合が弱まり、電池ボックス１１１がラックから脱落しても、落下防止用クリップ１２９及びケーブル１３０により電池ボックス１１１の落下を防止できる。
【００２４】
図３は発光ユニット１１２の斜視図、図４は発光ユニット１１２の構成図を示す。
【００２５】
発光ユニット１１２は、筐体１３１、回路基板１３２、発光ダイオード１３３、制限抵抗１３４、配線ケーブル１３５、ジャックコネクタ１３６、キャップ１３７、反射板１３８から構成されている。
【００２６】
筐体１３１は、透明樹脂材を円筒状に成形したものであり、内部に回路基板１３２、反射板１３８が収納される。回路基板１３２は、プリント配線板からなり、発光ダイオード１３３、電流制限抵抗１３４が搭載され、また、配線ケーブル１３５を介してジャックコネクタ１３６が接続されている。
【００２７】
回路基板１３２は長方形に形成されており、発光ダイオード１３３は回路基板１３２の長手方向、矢印Ｘ方向に一つ以上配置されている。
【００２８】
ジャックコネクタ１３６は、筐体１３１の一方の開口部を閉蓋する。筐体１３１の他方の開口部は、キャップ１３７により閉蓋される。反射板１３８は、例えば、反射率の高い金属板を、筐体１３１の内周側壁の半分を覆う形状に湾曲させた構成とされており、回路基板１３２の発光ダイオード１３３の搭載面とは反対側の面に対向するように筐体１３１に収納されている。反射板１３８は、発光ダイオード１３３から出射された光を回路基板１３２の発光ダイオード１３３の搭載面方向に反射するとともに、回路基板１３２の発光ダイオード１３３の搭載面とは反対側の面方向への光の漏洩を防止する。反射板１３８により光を所望の方向に効率よく出射させることができる。また、更に、発光ユニット１１２の筐体１３１内側面又は外側面に遮光部１３９を形成することにより不要な光の漏洩を防止できる。
【００２９】
発光ユニット１１２は、円筒状の筐体１３１に、一つ以上の発光ダイオード１３３及び電流制限抵抗１３４が搭載された回路基板１３２、及び、反射板１３８を収納し、その両端開口部をジャックコネクタ１３６及びキャップ１３７により閉蓋した構造されており、その形状は筐体１３１の形状と略同じ円筒状とされている。このため、非常に軽量で、かつ、コンパクトな形状にできる。また、構造も非常に簡単な構造にできる。また、発光ユニット１１２は、１つ以上の発光ダイオード１３３が長手方向に配列されており、発光ユニット１１２の長手方向に沿ってから光が出射されるため、光を広範囲にわたって出射することができる。
【００３０】
発光ユニット１１２は、取付ベース１４０が固定される。取付ベース１４０は、永久磁石１４１、ホルダ１４２から構成されている。
【００３１】
ホルダ１４２は、ベース部１４３、爪部１４４，１４５が一体に成形されている。ベース部１４３は、その面に直交して回転軸１４６が貫通して設けられており、回転軸１４６の底面側には永久磁石１４１が固定されている。ホルダ１４２は、永久磁石１４１に対して回転軸１４６を中心に回転可能に保持されている。
【００３２】
爪部１４４、１４５は、ベース部１４３の側端部からベース部１４３に直交しており、永久磁石１４１とは反対側に延出するように設けられている。爪部１４４、１４５は、ベース部１４３に対して弾性的に変形可能な構成とされている。また、爪部１４４、１４５の先端内周側は略円弧状に成形されている。先端部の略円弧状部分で発光ユニット１１２の外周に係合する。これにより、発光ユニット１１２を確実に保持できる構造とされている。ホルダ１４２は、爪部１４４と爪部１４５とで発光ユニット１１２を弾性的に挟持することにより、発光ユニット１１２を着脱可能に保持する。
【００３３】
図５は発光ユニット１１２を取付ベース１４０に取り付けたときの動作を説明するための図を示す。
【００３４】
ホルダ１４２は、永久磁石１４１に対して回転可能であるので、発光ユニット１１２の長手方向を自在に設定できる。また、発光ユニット１１２は、図５に示すようにホルダ１４２に対して発光ユニット１１２の長手方向に延長されている軸に対して回転可能、すなわち、矢印Ａ方向に回転可能であるので、光の出射方向を自在に設定できる。
【００３５】
図６は照明装置１００の適用例を説明するための図を示す。
【００３６】
取付ベース１４０は、永久磁石１４１の磁力によってラック１５０に固定される。発光ユニット１１２は、ラック１５０に固定された取付ベース１４０のホルダ１４２に保持される。
【００３７】
また、電池ボックス１１１は、落下防止用クリップ１２９がラック１５０に固定される。次に、電池ボックス１１１は、永久磁石１２５の磁力によってラック１５０に固定される。これによって、電池ボックス１１１のラック１５０への取付時に電池ボックス１１１が落下してもラック１５０に配線された光ファイバなどを損傷することはない。
【００３８】
また、電池ボックス１１１から延出されたケーブル１２６の先端に取り付けられたプラグコネクタ１２７は、発光ユニット１１２のジャックコネクタ１３６に接続される。
【００３９】
このとき、発光ユニット１１２は、ホルダ１４２を永久磁石１４１に対して回転させることにより、長手方向の角度を調整でき、また、発光ユニット１１２を長手方向の軸に対して回転させることにより、光の出射方向を調整できる。これによって、作業しやすいように照明を調整できる。また、発光ユニット１１２は、その長手方向に沿って光を出射させることができ、よって、広範囲に照明を行える。
【００４０】
また、本実施例によれば、電池ボックス１１１と発光ユニット１１２とを分離でき、携帯性に優れているので、通信施設などの狭い場所にも容易に持ち込める。また、長時間の作業で、電池１０１の容量が足りない場合には電池ボックス１１１を交換することにより、電池１０１を交換することなく、作業を連続して行える。このとき、電池ボックス１１１の交換作業は、電源ボックス１１１のプラグコネクタ１２７と発光ユニット１１２のジャックコネクタ１３６と挿抜だけの簡単な作業で済む。このため、電池ボックス１１１の交換回数が多くなっても、作業者の負担が大きくなることはない。
【００４１】
また、発光ユニット１１２に搭載されている発光ダイオード１３３は、高輝度、低消費電力であるので、小さい電池容量で長時間発光させることが可能であり、長時間の作業に適している。また、発光ダイオード１３３は、回路基板１３２の長手方向に一つ以上配列されているため、広い範囲を高輝度で照明することができる。このため、通信局内のラックなど狭所で用いる場合であっても懐中電灯などのように局所的な照明ではなく、広い範囲を照明でき、また、高輝度で照明できるため、作業性を向上させることができる。
【００４２】
これにより、電池ボックス１１１の電池容量を比較的小さく抑えることができ、これによって、電池ボックス１１１の重量を軽量化でき、ラック１５０からの落下の危険性を低減できる。さらに、本実施例では、電源ボックス１１１と発光ユニット１１２とを別々にラック１５０に固定することができるので、重量を分散でき、特に電池ボックス１１１の落下を防止できる。また、発光ユニット１１２は非常に軽量であるため、落下の危険性は非常に低い。よって、照明装置１００の落下による通信装置の破損などを防止できる。
【００４３】
〔第２実施例〕
図７は本発明の第２実施例の斜視図、図８は本発明の第２実施例のブロック構成図を示す。同図中、図１、図２と同一構成部分には同一符号を付し、その説明は省略する。
【００４４】
本実施例の照明装置２００は、電池ボックス２１１、発光ユニット２２２から構成されており、発光ユニット２２２を電池ボックス２１１にケーブルを介さずにコネクタ同士を直接接続することにより接続される構成とされている。
【００４５】
電池ボックス２１１は、ケーブル１２６に代えて、筐体１２２にジャックコネクタ２２１を設けた構成とされている。また、発光ユニット２２２は、ジャックコネクタ１３６に代えてプラグコネクタ２３１を設けた構成とされている。ジャックコネクタ２２１及びプラグコネクタ２３１は、円筒形状をなし、結合時に発光ユニット２１２の長手方向の中心軸を回転の軸として、矢印Ａ方向に回転可能とされている。
【００４６】
発光ユニット２１２は、ジャックコネクタ１３６を電源ボックス２１１のプラグコネクタ２３１に直接結合させて、電源ボックス２１１から電力の供給を受ける。
【００４７】
図９は照明装置２００の適用例を説明するための図を示す。
【００４８】
本実施例の照明装置２００は、電池ボックス２１１を筐体１２２に固定された永久磁石１２５の磁力によってラック１５０に取り付けることにより発光ユニット２２２共々ラック１５０に取り付けられる。
【００４９】
発光ユニット２２２は、電源ボックス２１１に対して矢印Ａ方向に回転可能とされているので、発光ユニット２２２を矢印Ａ方向に回転させることにより、光の照射方向を調節することが可能となる。
【００５０】
なお、上記第１、第２実施例の電池ボックス１１１，２１１は、電池１０１を交換するようにしたが、充電池及び充電回路などを内蔵し、充電式としてもよい。電池ボックス１１１、２１１に商用電源用プラグを設けることにより、電池ボックス１１１，２１１を直接商用電源ソケットに差し込んで、充電するようにしてもよい。
【００５１】
なお、上記照明装置１００、２００は、通信局内での作業に用いている場合を例に説明を行っているが、適用分野はこれに限定されるものではない。例えば、通信局設備の出入口のロックにダイヤルロックが併用されており、両手でロックを解錠する必要がある場合などに、上記実施例の照明装置１００、２００を携帯し、解錠時に扉に取り付けることにより、両手がフリーなり、解錠を容易に行える。
【００５２】
なお、第２実施例では、電池ボックス２１１と発光ユニット２２２とが分離可能とされているが、電池ボックス２１１と発光ユニット２２２とを図９に示すような状態で固定する構造としてもよい。
【００５３】
電池ボックス２１１から発光ユニット２２２が突出して固定可能な構造とすることにより、発光ユニット２２２の長手方向に沿って光を出射させることができ、よって、広範囲に照明することが可能となる。
【００５４】
なお、本発明は上記実施例に限定されるものではなく、本発明の要旨を逸脱しない範囲において種々の変形例が考えられることは言うまでもない。
【図面の簡単な説明】
【００５５】
【図１】本発明の第１実施例の斜視図である。
【図２】本発明の第１実施例のブロック構成図である。
【図３】発光ユニット１１２の斜視図である。
【図４】発光ユニット１１２の構成図である。
【図５】発光ユニット１１２を取付ベース１４０に取り付けたときの動作を説明するための図である。
【図６】照明装置１００の適用例を説明するための図である。
【図７】本発明の第２実施例の斜視図である。
【図８】本発明の第２実施例の構成図である。
【図９】照明装置２００の適用例を説明するための図である。
【符号の説明】
【００５６】
１００、２００  照明装置、１０１  電池
１１１、２１１  電池ボックス、１１２、２２２  発光ユニット
１２１  電池収納部、１２２  筐体、１２３  スイッチ
１２５  永久磁石、１２６  ケーブル、１２７、２３１  プラグコネクタ
１２８  カバー
１３１  筐体、１３２  回路基板、１３３  発光ダイオード、１３４  電流制限抵抗
１３５  配線ケーブル、１３６、２２１  ジャックコネクタ、１３７  キャップ
１３８  反射板、１３９  遮光部
１４０  取付ベース、１４１  永久磁石、１４２  ホルダ、１４３  ベース部
１４４、１４５  爪部、１４６  回転軸
【図１】
2008269974.tif 000003
【図２】
2008269974.tif 000004
【図３】
2008269974.tif 000005
【図４】
2008269974.tif 000006
【図５】
2008269974.tif 000007
【図６】
2008269974.tif 000008
【図７】
2008269974.tif 000009
【図８】
2008269974.tif 000010
【図９】
2008269974.tif 000011